(57)【要約】【課題】  例えば木材フレームにクッション性マットをあしらったような椅子において、美観を損なうことなくベッドに転換することができなかった。【解決手段】  椅子の座部の下にスライド式の前側左右両端に天板脚部を設けた天板を取り付け、この天板を椅子の前方に引き出して背もたれのクッション性マットを載置できるように構成した。この椅子は単品で使用してもよいが、椅子を天板を引き出した状態で２つ相対向に連接させ、前記背もたれのクッション性マットを前記天板に載置して１つのベッドとして使用してもよい。【選択図】図１
2005334204.tif 000002
【特許請求の範囲】
【請求項１】
座部と背もたれにそれぞれクッション性のマットを用いた椅子において、前記座部の下に摺動式に収められており前記椅子の前方に引き出し可能な天板と、該天板を椅子の前側端部において支持する天板脚部とを具え、前記背もたれのマットを背もたれから取り外して前方に引き出した前記天板に載置したときにその上面が前記座部のマットと同じ高さとなるよう構成されていることを特徴とする椅子。
【請求項２】
前記座部および天板が地面に平行な方形状をなすとともに、前記天板脚部を前記天板の前側左右両端部から鉛直方向に延在させ、前記天板を引き出した状態の椅子を２つ相対向させて連接可能としたことを特徴とする請求項１記載の椅子。
【請求項３】
請求項１または２記載の椅子を天板を引き出した状態で２つ相対向に連接させ、前記背もたれのクッション性マットを前記天板に載置して１つのベッドとすることを特徴とする椅子セット。
【発明の詳細な説明】
【技術分野】
【０００１】
本発明は、一対の椅子を簡単にベッドに転換して使用できる椅子および椅子セットに関するものである。
【背景技術】
【０００２】
ソファーの背もたれを倒してベッドとなり得るいわゆるソファーベッドは従来から知られており、このソファーベッドは同じ室内で居間と寝室とを適当に使い分けて室内空間を有効に利用できる点で好評を博している。
【０００３】
ソファーベッドには、背もたれ部分を倒して水平とすることによりベッドに転換するものがある（例えば、特許文献１）。この種のソファーベッドはソファー背もたれのクッション部分をベッドマットとして有効活用しており、省スペースおよび機能美を実現している。
【０００４】
しかし、上記ソファーベッドは背もたれのリクライニング機能を達成するために機械的なパーツを設ける必要があり、これがソファーベッドのデザイン性に制約を課していた。すなわち、木のフレームにクッション性マットをあしらうような椅子では背もたれと後側脚部のフレームを一本の木材で構成するのが通常であり、背もたれフレームと脚部を分割してリクライニング機構で連結すると著しく美観を損なうことになる。また、リクライニング機構は通常金属パーツで構成されるため木材とは相容れない質感のずれが生じることとなる。
【特許文献１】特開２０００−１７５７７３号公報
【発明の開示】
【発明が解決しようとする課題】
【０００５】
解決すべき問題点は、例えば木材フレームにクッション性マットをあしらったような椅子において、美観を損なうことなくベッドに転換する構成にすることができなかったことにある。本発明の目的は、このような椅子において美観を損なうことなく、簡単な構成でベッドに転換できるようにした椅子および椅子セットを提供せんとするものである。
【課題を解決するための手段】
【０００６】
本発明の椅子および椅子セットは、座部の下にスライド式の天板を取り付け、この天板を椅子の前方に引き出して背もたれのクッション性マットを載置することによりベッドに転換する構成としたことを最も主要な特徴とする。
【０００７】
より具体的には、本願請求項１記載の発明は、座部と背もたれにそれぞれクッション性のマットを用いた椅子において、前記座部の下に摺動式に収められており前記椅子の前方に引き出し可能な天板と、該天板を椅子の前側端部において支持する天板脚部とを具え、前記背もたれのマットを背もたれから取り外して前方に引き出した前記天板に載置したときにその上面が前記座部のマットと同じ高さとなるよう構成されていることを特徴とする。
【０００８】
本願請求項２記載の発明は、前記座部および天板が地面に平行な長方形状をなすとともに、前記天板脚部を前記天板の前側左右両端部から鉛直方向に延在させ、前記天板を引き出した状態の椅子を２つ相対向させて連接可能としたことを特徴とする。
【０００９】
本願請求項３記載の発明は、前記椅子を天板を引き出した状態で２つ相対向に連接させ、前記背もたれのクッション性マットを前記天板に載置して１つのベッドとすることを特徴とする椅子セットに関する。
【発明の効果】
【００１０】
本発明の椅子は、スライド式の天板を座部の下から引き出し、背もたれのクッション性マットを取り外し天板の上に載置して簡単にベッドへ転換することができる。椅子のリクライニング機能によらないため背もたれの付け根部分にデザインの制約がなく、背もたれと後側脚部のフレームを例えば一本の木材で構成できるという利点がある。
【発明を実施するための最良の形態】
【００１１】
本発明に係る椅子および椅子セットを実施するための最良の形態を、添付の図面を参照しながら以下に詳細に説明する。
【００１２】
図１は本発明に係る椅子の実施形態の構成を示す側面図であり、図２はその正面図である。椅子１はフレーム１０と、座部マット２０と、背もたれマット３０とで構成されている。フレーム１０において、後側脚部１１ａと背もたれフレーム１１ｂ、前側脚部１２ａと肘掛け部１２ｂとはそれぞれ一本の木材で成形されている。背もたれマット３０はフレーム１０に分離可能に取り付けられている。
【００１３】
座部マット２０および背もたれマット３０は発泡ウレタン樹脂や羽毛などのクッション性素材を布地や人工皮革などで包んでなり、ベッドへ転換したときに人が無理なく仰臥できるよう少なくとも人の肩幅以上の横幅を持たせて構成される。本実施例において、座部マット２０は縦５５０ｍｍ×横６００ｍｍ、厚さ１２０ｍｍであり、背もたれマット３０はこれより１ｃｍ厚みを持たせ、縦３５０ｍｍ×横６００ｍｍ、厚さ１３０ｍｍである。図１に示すように、椅子の状態において座部の全域に座部マット２０が延在し、当該座部マット２０の後側端部に背もたれマット３０が配置される。背もたれフレーム１１ｂには約１０度の傾斜が設けられている。フレーム１０において背もたれ部分には２枚の横板１７が渡されており、横板１７は椅子の状態では背もたれマット３０を支持し、背もたれマット３０を取り外した状態では人の背中を支持しうる構成となっている。
【００１４】
また、本実施例の椅子１は全体で、縦６２０ｍｍ、横７１０ｍｍ、高さ７５０ｍｍ、座面の高さは４０５ｍｍであり、高齢者の使用にも適するよう安定度の高い構成となっている。
【００１５】
座部マット２０は座部フレーム１４上面に延在する薄い板材の上に載置されており、座部マット２０の１ｃｍ下の位置に天板１３がスライド式に収められている。すなわち、側部の座部フレーム１４の内側に突条のスライドレール１５が設けられており、天板１３はこのレール上に摺動自在に取り付けられ、使用者は椅子の下に手を入れて天板１３を前方へ引き出すことができる。このスライドレール１５にはストッパ機構が設けられており、天板１３を背もたれマット３０の縦幅分までしか引き出せないよう構成されている。天板１３の前側端部には、天板１３を引き出したときに支持する一対の天板脚部１６が鉛直方向に取り付けられている。
【００１６】
このように構成した椅子１の使用方法を説明する。椅子の状態では、図１に示すように、天板１３は座部マット２０の下に収容されている。この状態では、天板脚部１６は座部マット２０の前側端部の内側に収まっており、人が椅子１に座るときに邪魔になることはない。また、背もたれマット３０は椅子１の背もたれ部分に配置されており、人はクッションの効いた快適な状態で座ることができる。
【００１７】
この椅子１を足を伸ばして座ることのできる所謂オットマン付きの状態とする場合、図３に示すように、天板１３を椅子１の前方に引き出し、背もたれマット３０を背もたれフレーム１１ｂから取り外して天板１３上に載置する。これにより、縦幅約９０ｃｍの座面を備える椅子となり、人が足を伸ばしてリラックスした状態で座ることができる。なお、両側の背もたれフレーム１１ｂ間には２枚の横板１７、１７が渡されているため、人はこれに背中を預けてゆったりと座ることができる。また、天板１３は座部マット２０の１ｃｍ下に延在しており、背もたれマット３０は座部マット２０より１ｃｍ厚く形成されているため、結果としてマット上面が同じ高さとなり１つの連続する大きな座面を確保することができる。
【００１８】
次に、ベッドとして使用する場合、椅子１を２つ用意してそれぞれ図３に示す状態とし、さらに２つの椅子を向かい合わせて連接する。これにより図４に示す状態となり、マット面の長さが約１ｍ８０ｃｍのベッド状態とすることができる。この場合も総てのマット上面が同じ高さとなり、人は段差を感じることなく快適に仰臥することができる。なお、背もたれマット３０の上面は長方形状であり、天板脚部１６は鉛直方向に延在するため、２つの椅子を当接させたときに両者が隙間なく合わさるとともに、天板脚部同士が着接してより安定した状態で２つの天板１３を支持する構成となる。天板１３の前側は天板脚部１６により支持され、後側は座部フレーム１４により支持されているため安定して寝ころぶことができる。さらに、２つの椅子の肘掛けフレーム１２ｂがそれぞれ転落防止のサイドガードとして機能するため、介護が必要な高齢者などにも安心して適用することができる。このように本発明の椅子は単品で販売してもよいが、２つの椅子をベッドに転換可能なセットとして提供するようにしてもよい。
【００１９】
本発明の一実施例について詳細に説明したが、本発明の技術的範囲は上記実施形態で示した椅子および椅子セットに限るものではなく、他の様々な実施例として実現することができる。例えば、上記実施例では背もたれマット３０を取り外した際に横板１７に人が背中を預けられる構成としているが、この場合に横板１７の前側に薄い更なるクッション性マットを設けておき、人がもたれかかった際の快適性を向上させてもよい。また、各要素の寸法や形状も上記実施例のものに限るものではなく、想定される使用者の使用目的など実施環境に応じて適宜決定することができる。
【００２０】
以上に説明したように、本発明に係る椅子および椅子セットは、スライド式の天板を座部の下から引き出し、背もたれのクッション性マットを天板の上に載置して簡単にベッドへ転換することができる。椅子のリクライニング機能によらないため背もたれの付け根部分にデザインの制約がなく、背もたれと後側脚部のフレームを例えば一本の木材で構成することができる。したがって木のフレームの美観を損なうことがないため、質感が重視される。例えば応接用やロビー・ラウンジ用としてすこぶる有利に使用することができる。また、操作がきわめて簡単であるとともにベッドに転換した際の安定度や安全性が高く、高齢者や要介護者でも快適に使用することができる便利なものである。
【産業上の利用可能性】
【００２１】
本発明に係る椅子および椅子セットは、簡単な構成で容易に椅子の状態からベッドやオットマン付き椅子の状態に転換することができ、例えば高齢者用施設のラウンジやレストランなどに好適に使用することができる。
【図面の簡単な説明】
【００２２】
【図１】本発明に係る椅子の一例を側面から示し一部を透視した説明図である。
【図２】図１に示す椅子を正面から示し一部を透視した説明図である。
【図３】図１に示す椅子を所謂オットマン付き状態に転換した状態を側面から示し一部を透視した説明図である。
【図４】本発明に係る椅子セットをベッドに転換した状態を示す斜視図である。
【符号の説明】
【００２３】
１    椅子
１０  フレーム
１３  天板
１４  座部フレーム
１７  横板
２０  座部マット
３０  背もたれマット
【図１】
2005334204.tif 000003
【図２】
2005334204.tif 000004
【図３】
2005334204.tif 000005
【図４】
2005334204.tif 000006